(57)【要約】ＤＶＤディスクは、同期セクタを含むリードイン領域を含み、記録表面数、ディスクキー及び他の情報を含むデータを制御し、利用可能なディスク表面の主要部分を占めるデータ領域を含む。ディスクのコンテンツを操作するために、制御データ及びディスクキーを知る必要がある。本発明にしたがって、データ領域のデータコンテンツは、リードイン領域から情報を読み出すことなく、必要な制御データを決定するために用いられる。
2004514235.tif 000002
【特許請求の範囲】
【請求項１】
記憶媒体（Ｄ）を再生するために必要とされる前記記憶媒体の少なくとも１つの主パラメータ値（ｄｉｓｃ＿ｔｙｐｅ、Ｓｔａｒｔ＿ＰＳＮ＿Ｌａｙｅｒ＿０、Ｅｎｄ＿ＰＳＮ＿Ｌａｙｅｒ＿０、Ｓｔａｒｔ＿ＰＳＮ＿Ｌａｙｅｒ＿１、Ｅｎｄ＿ＰＳＮ＿Ｌａｙｅｒ＿１）を決定するための方法であって：
前記記憶媒体は、前記少なくとも１つの主パラメータ値を記憶する第１データ領域（リードイン）と、前記少なくとも１つの主変数パラメータ値ではなく他のデータを含む第２データ領域であって、前記第１データ領域（リードイン）から前記少なくとも１つの主変数パラメータ値を読み出すことなく、前記第２データ領域からデータを読み出し評価することにより、前記少なくとも１つの主パラメータ値を決定することで特徴付けられる第２データ領域と、を含む；
方法。
【請求項２】
請求項１に記載の方法であって、前記記憶媒体（Ｄ）はＤＶＤディスク、例えばＤＶＤ読み出し専用またはＤＶＤビデオディスクである、方法。
【請求項３】
請求項１または２に記載の方法であって、前記少なくとも１つの主変数パラメータ値は前記記憶媒体の最後の物理セクタ数（ＥＮＤ＿ＰＳＮ＿Ｌａｙｅｒ＿０）である、方法。
【請求項４】
請求項３に記載の方法であって、前記記憶媒体の開始の物理セクタ数（Ｓｔａｒｔ＿ＰＳＮ＿Ｌａｙｅｒ＿０）及び結局前記記憶媒体のタイプ（ｄｉｓｃ＿ｔｙｐｅ）はさらなる主変数パラメータ値である、方法。
【請求項５】
請求項１または２に記載の方法であって、前記記憶媒体（Ｄ）は少なくとも２つのデータレイヤを含み、その各々に前記第１データ領域（リードイン）の所定の一を割り当てる、方法。
【請求項６】
請求項５に記載の方法であって、前記記憶媒体（Ｄ）は少なくとも１つのＤＶＤ読み出し専用オポジットトラックパスディスクの片面を有し、前記少なくとも１つの主変数パラメータ値は前記ディスクの前記少なくとも２つのデータレイヤのうち第１レイヤのための終了の物理セクタ数（ＥＮＤ＿ＰＳＮ＿Ｌａｙｅｒ＿０）または前記ディスクの前記少なくとも２つのデータレイヤのうち第２レイヤのための開始の物理セクタ数（ＥＮＤ＿ＰＳＮ＿Ｌａｙｅｒ＿０）である、方法。
【請求項７】
請求項５に記載の方法であって、前記記憶媒体（Ｄ）は少なくとも１つのＤＶＤ読み出し専用パラレルトラックパスディスクの片面を有し、前記少なくとも１つの主変数パラメータ値は前記ディスクの前記少なくとも２つのデータレイヤのうち第１レイヤのために終了の物理セクタ数（ＥＮＤ＿ＰＳＮ＿Ｌａｙｅｒ＿０）であり、そしてさらなる主パラメータ値は前記ディスクの前記少なくとも２つのデータレイヤのうち第２レイヤのために開始の物理セクタ数（ＥＮＤ＿ＰＳＮ＿Ｌａｙｅｒ＿０）である、方法。
【請求項８】
請求項６または７に記載の方法であって、前記少なくとも１つの及びさらなる主変数パラメータ値は前記ディスクの前記少なくとも２つのデータレイヤのうち第１レイヤのための開始の物理セクタ数（Ｓｔａｒｔ＿ＰＳＮ＿Ｌａｙｅｒ＿０）及び前記終了の物理セクタ数（Ｅｎｄ＿ＰＳＮ＿Ｌａｙｅｒ＿０）を含み、前記ディスクの前記少なくとも２つのデータレイヤのうち第２レイヤのために開始の物理セクタ数（Ｓｔａｒｔ＿ＰＳＮ＿Ｌａｙｅｒ＿１）及び終了の物理セクタ数（Ｅｎｄ＿ＰＳＮ＿Ｌａｙｅｒ＿１）を含み、そして前記ディスクのタイプ（ｄｉｓｃ＿ｔｙｐｅ）を結局含む、方法。
【請求項９】
データディスク（Ｄ）を再生するために必要とされる前記データディスクの主パラメータ値（ｄｉｓｃ＿ｔｙｐｅ、Ｓｔａｒｔ＿ＰＳＮ＿Ｌａｙｅｒ＿０、Ｅｎｄ＿ＰＳＮ＿Ｌａｙｅｒ＿０、Ｓｔａｒｔ＿ＰＳＮ＿Ｌａｙｅｒ＿１、Ｅｎｄ＿ＰＳＮ＿Ｌａｙｅｒ＿１）のうち少なくとも１つを決定するための装置であって：
前記データディスクは、前記少なくとも１つの主パラメータ値を記憶する第１データ領域（リードイン）と、前記少なくとも１つの主変数パラメータ値ではなく他のデータを含む第２データ領域と、を含み；
前記装置は：
前記データディスク（Ｄ）を駆動するための手段；
前記データディスクからデータを読み出すためのピックアップ（Ｐ）；及び
バッファ（ＴＢ）；
から構成され、
前記第１データ領域（リードイン）から前記少なくとも１つの主変数パラメータ値を読み出すことなく、前記駆動手段（Ｍ）、前記ピックアップ（Ｐ）及び前記バッファ（ＴＢ）を制御し、前記第２データ領域からデータを読み取って評価することにより少なくとも１つの主パラメータ値を決定するための手段（ＣＴＲＬ）；
により特徴付けられる、装置。
【請求項１０】
請求項１〜９のうち何れか１つに記載の方法または装置であって、前記記憶媒体（Ｄ）はＤＶＤビデオディスクであり、前記主パラメータまたはディスクタイプを決定するために、データ領域のデータであって：
レイヤ０の最初の部分の特徴的なファイルシステムデータ；
レイヤ０の最初の部分に位置するＤＶＤビデオ特有のデータ；
レイヤ１がある場合の、レイヤ１の内側の範囲に位置するＤＶＤビデオ特有のデータ；及び
オポジットトラックパスディスクがある場合の、レイヤ０及び１の外側の範囲に位置するＤＶＤビデオ特有のデータの構造体；
から構成されるデータ領域のデータを用いる、装置。
【発明の詳細な説明】
【０００１】
（技術分野）
本発明は、記憶媒体を再生するために必要とされる前記記憶媒体の主パラメータ値を決定するための方法及び装置に関わり、特に、前記記憶媒体は前記主パラメータを記憶する第１データ領域と、前記主要パラメータ値ではなく他のデータを含む第２データ領域とを有する方法及び装置に関する。
【０００２】
（背景技術）
ＤＶＤディスクは、同期セクタ、記録表面数を含む制御データ、ディスクキー及び他の情報を含む小さいリードイン領域を含み、そして利用可能なディスク表面の主要部分を占めるデータ領域を含む。ＤＶＤビデオディスクのコンテンツを扱うために、ＬＳＮで表される論理セクタ番号をＰＳＮで表される物理セクタ番号に変換することが必要である。ＤＶＤディスクは４つ以下の記録表面を含むことが可能である。
【０００３】
米国特許第５，９６６，７２１号明細書（特許文献１）は、アクセスすることが可能な記録表面が１つ以上ある場合、１つの表面のみから読み出し可能な複数の記録表面のリードイン領域のコンテンツの作成方法について開示している。
【０００４】
（特許文献１）
米国特許第５，９６６，７２１号明細書
（発明の概要）
本発明により解決する問題は、リードイン領域から必要とされるデータパラメータを読み取ることなく、ディスクの非リードイン領域から読み出される他のデータから、ディスクのリードイン領域に記憶されそしてディスクを再生するために必要とされる重要なデータのパラメータを決定することである。この問題を、請求項１に開示した方法により解決する。この方法を利用する装置を、請求項９に開示する。
【０００５】
本発明にしたがって、リードインで表されるリードイン領域から情報を読み出すことなくＬＳＮ番号とＰＳＮ番号の間の変換のために必要な情報を決定するために、ディスクのデータ領域のコンテンツを用いる。重要なまたは主要なパラメータを決定するために、次のデータ領域のデータを用いる。即ち、
−　レイヤ０の最初の部分の特徴的なファイルシステムデータ
−　レイヤ０の最初の部分に位置するＤＶＤビデオに特有のデータ
−　セクタＩＤ
−　レイヤ１が存在する場合、レイヤ１の内側の範囲に位置するＤＶＤビデオに特有のデータ、及び
−　オポジットトラックパスディスクがある場合、レイヤ０及び１の外側の範囲に位置するＤＶＤビデオに特有のデータの構造体
である。
【０００６】
リードインに如何なるビューもない場合、本発明で提案する手順により、リードイン、リードアウト、データ領域、中間領域（もしあれば）の位置及びＤＶＤディスクのタイプを決定する。本発明は、主変数として、この応用で表される次の変数を自動的に決定することを可能にする。
−　ｄｉｓｃ＿ｔｙｐｅ（シングルレイヤ、パラレルトラックパス、またはオポジットトラックパス）
−　Ｓｔａｒｔ＿ＰＳＮ＿Ｌａｙｅｒ＿０（範囲：０　．．．　ＦＦＦＦＦＦｈ）
−　Ｅｎｄ＿ＰＳＮ＿Ｌａｙｅｒ＿０（範囲：０　．．．　ＦＦＦＦＦＦｈ）
−　Ｓｔａｒｔ＿ＰＳＮ＿Ｌａｙｅｒ＿１（範囲：１００００００ｈ　．．．　１ＦＦＦＦＦｈ）、及び
−　Ｅｎｄ＿ＰＳＮ＿Ｌａｙｅｒ＿１（範囲：１００００００ｈ　．．．　１ＦＦＦＦＦｈ）
これら５つの変数のうち後半の４つは、読み出し専用ディスク、パート１、バージョン１．０、３．４．１．３．１物理フォーマット情報についてのＤＶＤ仕様により記載されているデータ領域の割り当てフィールド（ＢＰ４〜１５）からの情報の完全な置換を表す。
【０００７】
原則として、本発明の方法は、前記記憶媒体を再生するために必要とされる記憶媒体の少なくとも１つの主パラメータ値を決定することに適しており、前記記憶媒体は、前記少なくとも１つの主パラメータ値を記憶する第１データ領域と、前記少なくとも１つの主パラメータ値ではなく他のデータを含む第２データ領域であって、前記第１データ領域から前記少なくとも１つの主パラメータ値を読み出すことなく、前記第２データ領域からデータを読み出して評価することにより、前記少なくとも１つの主パラメータ値を決定する第２データ領域、とを含む。
【０００８】
原則として、本発明の装置は、前記データディスクを再生するために必要とされるデータディスクの少なくとも１つの主パラメータ値を決定することに適切であり、前記データディスクは前記少なくとも１つの主パラメータ値を記憶する第１データ領域と前記少なくとも１つの主パラメータ値でなく他のデータを含む第２データ領域とから構成され、前記装置は
−　前記データディスクを駆動するための手段
−　前記データディスクからデータを読み出すためのピックアップ
−　バッファ、及び
−　前記駆動手段、前記ピックアップ、及び前記バッファを制御するための手段であって、前記第１データ領域から前記少なくとも１つの主パラメータ値を読み出すことなく、前記第２データ領域からデータを読み出して評価することにより、前記少なくとも１つの主パラメータ値を決定するための手段
から構成される。
【０００９】
本発明の好適なさらなる実施形態は、それぞれの従属請求項に開示されている。
【００１０】
（発明の詳細な説明）
上述の主変数及びそれらを演算または決定するための方法について、読み出し専用ディスク、パート１、バージョン１．０のＤＶＤの仕様の条項に基づいて、以下に詳細に述べる。
【００１１】
ＤＶＤシングルレイヤディスクについて：
−　ｄｉｓｃ＿ｔｙｐｅ＝シングルレイヤ
−　Ｓｔａｒｔ＿ＰＳＮ＿Ｌａｙｅｒ＿０＝“データ領域の開始セクタ番号”（３．４．１．３．１物理フォーマット情報、（ＢＰ４〜１５）データ割り当てにより記述されているようなリードインにおいて）
−　Ｅｎｄ＿ＰＳＮ＿Ｌａｙｅｒ＿０＝“データ領域の終了セクタ番号”（３．４．１．３．１物理フォーマット情報、（ＢＰ４〜１５）データ割り当てにより記述されているようなリードインにおいて）
−　Ｓｔａｒｔ＿ＰＳＮ＿Ｌａｙｅｒ＿１はない
−　Ｅｎｄ＿ＰＳＮ＿Ｌａｙｅｒ＿１はない
２つのレイヤを有するＤＶＤパラレルトラックパスディスクについて：
−　ｄｉｓｃ＿ｔｙｐｅ＝パラレルトラックパス
−　Ｓｔａｒｔ＿ＰＳＮ＿Ｌａｙｅｒ＿０＝“データ領域の開始セクタ番号”（３．４．１．３．１物理フォーマット情報、（ＢＰ４〜１５）データ割り当てにより記述されているようなレイヤ１のリードインにおいて）
−　Ｅｎｄ＿ＰＳＮ＿Ｌａｙｅｒ＿０＝“データ領域の終了セクタ番号”（３．４．１．３．１物理フォーマット情報、（ＢＰ４〜１５）データ割り当てにより記述されているようなレイヤ１のリードインにおいて）
−　Ｓｔａｒｔ＿ＰＳＮ＿Ｌａｙｅｒ＿１＝１００００００ｈ＋“データ領域の開始セクタ番号” （３．４．１．３．１物理フォーマット情報、（ＢＰ４〜１５）データ割り当てにより表されるようなレイヤ１のリードインにおいて）
−　Ｅｎｄ＿ＰＳＮ＿Ｌａｙｅｒ＿１＝１００００００ｈ＋“データ領域の終了セクタ番号” （３．４．１．３．１物理フォーマット情報、（ＢＰ４〜１５）データ割り当てにより記述されているようなレイヤ１のリードインにおいて）
２つのレイヤを有するＤＶＤオポジットトラックパスディスクについて：
−　ｄｉｓｃ＿ｔｙｐｅ＝オポジットトラックパス
−　Ｓｔａｒｔ＿ＰＳＮ＿Ｌａｙｅｒ＿０＝“データ領域の開始セクタ番号”（３．４．１．３．１物理フォーマット情報、（ＢＰ４〜１５）データ割り当てにより記述されているようなリードインにおいて）
−　Ｅｎｄ＿ＰＳＮ＿Ｌａｙｅｒ＿０＝“レイヤ０の終了セクタ番号”（３．４．１．３．１物理フォーマット情報、（ＢＰ４〜１５）データ割り当てにより記述されているようなリードインにおいて）
−　Ｓｔａｒｔ＿ＰＳＮ＿Ｌａｙｅｒ＿１＝１ＦＦＦＦＦＦｈ−Ｅｎｄ＿ＰＳＮ＿Ｌａｙｅｒ＿０、即ち、セクタ番号Ｓｔａｒｔ＿ＰＳＮ＿Ｌａｙｅｒ＿１はセクタ番号Ｅｎｄ＿ＰＳＮ＿Ｌａｙｅｒ＿０にすぐに続く。
−　Ｅｎｄ＿ＰＳＮ＿Ｌａｙｅｒ＿１＝１００００００ｈ＋“データ領域の終了セクタ番号”（３．４．１．３．１物理フォーマット情報、（ＢＰ４〜１５）データ割り当てにより記述されているようなリードインにおいて）
変数ＰＳＮとＩＤは、次のように定義される。
−　ＰＳＮ＝“物理セクタ番号”、ワード長２５ビット、
レイヤ０のレンジ：０　．．．　０ＦＦＦＦＦＦｈ
レイヤ１のレンジ：１００００００ｈ　．．．　０ＦＦＦＦＦＦｈ
ＰＮＳはＩＤの２５桁の最小有効ビットに等しい。
−　ＩＤ＝“識別データ”、３．２．２識別データにより表されるものであり、識別データ、即ちＩＤはセクタ情報及び物理セクタ番号ＰＳＮから成る。
【００１２】
記憶媒体の２つのレイヤを、ディスクの両面に設けることが可能であり、または、両面に設けることが可能であるマルチレイヤ記憶媒体の一方側に設けることが可能である。
【００１３】
ディスクは一方側にシングルレイヤを、そして他方側に２つのレイヤを備えることが可能である。
【００１４】
図に示すように、‘Ｙ’は‘はい’を、‘Ｎ’は‘いいえ’を表し、‘ＮＶ＿ＰＣＫ’は‘ナビゲーションパック’を、‘ＬＳＢ’は‘最小有効ビット’を表す。
【００１５】
論理セクタ番号ＬＳＮから物理セクタ番号ＰＳＮへの変換について、図１を参照して説明する。
１：　開始
２：　ＬＳＮ≦（Ｅｎｄ＿ＰＳＮ＿Ｌａｙｅｒ＿０−Ｓｔａｒｔ＿ＰＳＮ＿Ｌａ　　　ｙｅｒ＿０）？
３：　ＩＤの領域のタイプはデータ領域であり、
ＰＳＮ＝ＬＳＮ＋Ｓｔａｒｔ＿ＰＳＮ＿Ｌａｙｅｒ＿０
４：　ＩＤの領域のタイプはデータ領域であり、
ＰＳＮ＝ＬＳＮ＋Ｓｔａｒｔ＿ＰＳＮ＿Ｌａｙｅｒ＿１＋Ｓｔａｒｔ＿ＰＳＮ＿Ｌａｙｅｒ＿０−Ｅｎｄ＿ＰＳＮ＿Ｌａｙｅｒ＿０−１
５：　終了
エラー処理はない、即ち、ＬＳＮはディスクの存在するデータ領域により与えられる範囲内に存在するに違いない。
【００１６】
ＰＳＮ番号からＬＳＮ番号への変換について、図２を参照して説明する。
６：　開始
７：　ＰＳＮの最も有効なビット（２５番目のビット）は０？　即ち、レイヤ０は存在する？
８：　ＬＳＮ＝ＰＳＮ−Ｓｔａｒｔ＿ＰＳＮ＿Ｌａｙｅｒ＿０
９：　ＬＳＮ＝ＰＳＮ−Ｓｔａｒｔ＿ＰＳＮ＿Ｌａｙｅｒ＿１−Ｓｔａｒｔ＿ＰＳＮ＿Ｌａｙｅｒ＿０＋Ｅｎｄ＿ＰＳＮ＿Ｌａｙｅｒ＿０＋１
１０：　終了
エラー処理はない、即ち、ＰＳＮは、ディスクの存在するデータ領域に存在するに違いない。
【００１７】
主変数を求める方法について、図３を参照して説明する。主変数は、如何なる場合にも求められる。この方法の不利な点は、ディスクの内側の範囲と外側の範囲の間における光学ヘッドの大きい距離に及ぶジャンプが必要であることである。そのようなジャンプには数秒間を必要とする。好適には、段階１６は、より速く機能する他の段階をまず試みることを可能にする。より早い段階で失敗した場合においてのみ、遅くてもとにかく機能する処理が実行される。しかし、試験は、速いバージョンの処理段階は既存のＤＶＤビデオディスクの略すべてに対して正確な主要変数を見つけることができる、ことを示している。
１１：　開始
１２：　ディスクを挿入した？
１３：　一次ボリューム記述子ｐｄｖ＝３００１０ｈ
それはＤＶＤであると仮定する→セクタＰＳＮ＝ｉを読み出すことを試みる
１４：　セクタＰＳＮ＝ｐｖｄが見つかった？
１５：　ディスクが損傷している、またはＤＶＤ−ＲＯＭタイプではない
１６：　セクタＰＳＮのＩＤ＝ｐｖｄは、データ領域のセクタ（ＩＤの領域タイプ＝データ領域）であることを示している？
１７：　ｐｖｄ＝３１０１０ｈ
１８：　セクタＰＳＮのＩＤ＝ｐｖｄは、データ領域のセクタ（ＩＤの領域タイプ＝データ領域）であることを示している？
１９：　それはＤＶＤビデオディスクではない
２０：　それはＤＶＤ−ＲＯＭディスクである
ｄｉｓｃ＿ｔｙｐｅ＝シングルレイヤ；Ｓｔａｒｔ＿ＰＳＮ＿Ｌａｙｅｒ＿０＝３１０００ｈ
２１：　ＤＶＤ−ＲＯＭ、ＤＶＤ−Ｒ、ＤＶＤ−ＲＷ及びＤＶＤ＋ＲＷに対して　　　　Ｓｔａｒｔ＿ＰＳＮ＿Ｌａｙｅｒ＿０＝３００００ｈ
それはＤＶＤデュアルレイヤディスクであると仮定する→レイヤ１のセクタを読み出すためにレイヤ０のセクタ３００１０ｈを読み出すために用いるのと同じ範囲の光学ヘッドまたはピックアップ位置を用いる
２２：　何らかのセクタは見つかった？
２３：　ｄｉｓｃ＿ｔｙｐｅ＝シングルレイヤ
２４：　ｄｉｓｃ＿ｔｙｐｅ＝デュアルレイヤ（一時的状況）
２５：　速い処理段階を試みる
２６：　主変数のタイプすべては完全に既知である？
２７：　ディスクの外側の範囲にジャンプし、異なる半径に対して注意を払う：８ｃｍ及び１２ｃｍ；　データ領域とリードアウトまたは中間領域との間の境界に位置するレイヤ０の連続セクタを読み出す；
Ｅｎｄ＿ＰＳＮ＿Ｌａｙｅｒ＿０＝最後のデータ領域のセクタのＰＳＮ２８：　ディスクの外側の範囲のレイヤ０にリードアウトがある？
２９：　ｄｉｓｃ＿ｔｙｐｅ＝デュアルレイヤ？
３０：　ｄｉｓｃ＿ｔｙｐｅ＝パラレルトラックパス
Ｓｔａｒｔ＿ＰＳＮ＿Ｌａｙｅｒ＿１＝１０３００００ｈ；
３１：　レイヤ１に変える；データ領域とリードアウトの間の境界に位置するレイヤ１の連続セクタを読み出す；
Ｅｎｄ＿ＰＳＮ＝ｌａｙｅｒ＿１＝最後のデータ領域のセクタのＰＳＮ３２：　ｄｉｓｃ＿ｔｙｐｅ＝オポジットトラックパス
Ｓｔａｒｔ＿ＰＳＮ＿Ｌａｙｅｒ＿１＝１ＦＦＦＦＦＦｈ−Ｅｎｄ＿ＰＳＮ＿Ｌａｙｅｒ＿０；
３３：　セクタＰＳＮ＝３００００ｈの範囲のレイヤ１におけるディスクの内側の範囲にジャンプする；データ領域とリードアウトの間の境界に位置するレイヤ１の連続セクタを読み出す；Ｅｎｄ＿ＰＳＮ＝ｌａｙｅｒ＿１＝最後のデータ領域のセクタのＰＳＮ
３４：　終了
主変数を求めるための速い処理段階を次に示す。このタイプの処理は図４に示されている。
５０：　開始
５１：　ｄｉｓｃ＿ｔｙｐｅを見つける
５２：　主変数の速い探索
５３：　終了
図４の段階５１は“ディスクタイプを見つける”機能として表され、図５に示されるさらなる段階を含む。
６０：　開始
６１：　ｄｉｓｃ＿ｔｙｐｅ＝シングルレイヤ？
６２：　ＤＶＤパラレルトラックパスディスクを仮定する→レイヤ１のセクタを読み出すためにレイヤ０のセクタ３００１０ｈを読み出すために用いられるのと同じ範囲のピックアップ位置を用いる
６３：　セクタＰＳＮは１０３００１０ｈより著しく大きい？
６４：　ｄｉｓｃ＿ｔｙｐｅ＝オポジットトラックパス
６５：　ｄｉｓｃ＿ｔｙｐｅ＝パラレルトトラックパス
Ｓｔａｒｔ＿ＰＳＮ＿Ｌａｙｅｒ＿１＝１０３００００ｈ
６６：　終了
また、この処理を、次のように表さすことが可能である：
第１ディスクレイヤの開始の少なくとも１つのＰＳＮ，及び他のディスクレイヤの同様のまたは類似する範囲の位置の少なくとも１つのＰＳＮ、を読み出すことにより、パラメータｄｉｓｃ＿ｔｙｐｅを決定することが可能である。２つのレイヤからの対応するＰＳＮ番号間の差が著しく大きい場合、それはオポジットトラックパスディスクであるに違いない。その差が小さい場合は、それはパラレルトラックパスディスクである。
【００１８】
その他の方法として、第１レイヤのリードインの範囲の位置に他のレイヤにおける対応するリードインがある場合、それはパラレルトラックパスディスクであるに違いない。第１レイヤのリードインの範囲の位置に他のレイヤにおいて対応するリードアウトがある場合、それはオポジットトラックパスディスクであるに違いない。リードインのコンテンツを読み出すことは必要ない。それがリードイン、リードアウトまたはデータ領域の何れであるかをセクタＩＤが決定することから、セクタＩＤを理解することが十分できる。
【００１９】
さらに他の方法として、可能なデュアルレイヤディスクタイプのうち１つであると仮定され、ディスクに記憶された有用なデータ（例えば、ビデオデータまたはオーディオデータ）の復号化が開始される。復号化においてエラーが生じたり、または一貫性がなかったりする場合、片面ディスクタイプであると仮定され、復号化が再び開始される。これらのうち１つであることを仮定することにより、それに続いて異なるセクタ番号へのジャンプ（即ち、特定の半径方向へのジャンプ）を要求することにより、そして適切な復号化処理をチェックすることにより、パラレルトラックパスまたはオポジットトラックパスディスクであることを決定することが可能である。
【００２０】
図４の段階５２は、“主変数のための迅速な検索”機能であることを意味し、図６に示される更なる段階を含む。
８０：　開始
８１：　ｄｉｓｃ＿ｔｙｐｅ＝シングルレイヤ？
８２：　ｄｉｓｃ＿ｔｙｐｅ＝パラレルトラックパス？
８３：　シングルレイヤディスクの主変数を求める
８４：　パラレルトラックパスディスクの主変数を求める
８５：　オポジットトラックパスディスクの主変数を求める
８６：　終了
以下のいくつかの図を参照して、“パーティションサイズにより最後のＬＳＮを求める”機能を意味するいくつかの処理段階が必要とされる。図７に、この機能を示す。
１００：　開始
１０１：　ファイルシステムＵＤＦ／ＩＳＯ９６６０（ユニバーサルディスクフォーマット）の検査：パーティションの終了を求める
ｐｖｄ：ｌａｓｔ＿ＬＳＮ＝ボリューム、スペース、サイズ
パーティション記述子：ｌａｓｔ＿ＬＳＮ＝パーティション開始位置＋パーティション長さ
１０２：　両方のファイルシステムからより大きいｌａｓｔ＿ＬＳＮ値を選択する
１０３：　選択されたｌａｓｔ＿ＬＳＮの８個のＬＳＢを‘１’に設定する
１０４：　終了
図６の段階８３は“シングルレイヤディスクの主変数を求める”機能を意味し、図８に示されるさらなる段階を含む。
１５０：　開始
１５１：　“パーティションサイズにより最後のＬＳＮを求める”機能を実施する
１５２：　Ｅｎｄ＿ＰＳＮ＿Ｌａｙｅｒ＿０＝Ｓｔａｒｔ＿ＰＳＮ＿Ｌａｙｅｒ＿０＋ｌａｓｔ＿ＬＳＮ
備考：Ｅｎｄ＿ＰＳＮ＿Ｌａｙｅｒ＿０はこのディスクの最後の論理セクタのＰＳＮより小さくすることが可能であるが、求められるその値は、ユーザのために何ら制限することなく、ディスクの完全な再生のためには十分正確である。
１５３：　終了
図６の段階８４は“パラレルトラックパスディスクの主な変数を求める”機能を意味し、図９に示されるさらなる段階を含む。
２００：　開始
２０１：　“パーティションサイズにより最後のＬＳＮを求める”機能を実行する
２０２：　ＰＳＮ＝１０３０００ｈからセクタの読み出すことにより開始する
２０３：　読み出されるセクタのうち１つはＮＶ＿ＰＣＫ？
２０４：　変数ｎｖ＿ｐｓｎにこのＮＶ＿ＰＣＫのＮＶ＿ＰＣＫ＿ＬＢＮを記憶する；変数ｎｖ＿ｐｓｎにこのＮＶ＿ＰＣＫのＰＳＮを記憶する
２０５：　ＤＶＤビデオのタイトルセットのディレクトリＶＩＤＥＯ＿ＴＳに変更する；ストリームファイルＶＴＳ＿ｘｘ＿ｙｙ．ＶＯＢを調べ、ｘｘは１から９９まで、及びｙｙは１から９まで実行する；
ビデオのタイトルの最後のファイル及び２２０−２０４８バイト未満のサイズ（そのようなファイルがもしあれば）でなく、セクタＬＳＮ＝ｌａｓｔ＿ＬＳＮ／２の近傍で終了する、ＶＴＳ＿ｘｘ＿ｙｙ．ＶＯＢファイルを検索する
２０６：　そのようなファイルはある？
２０７：　Ｅｎｄ＿ＰＳＮ＿Ｌａｙｅｒ＿０＝（Ｓｔａｒｔ＿ＰＳＮ＿Ｌａｙｅｒ＿０＋ｌａｓｔ＿ＬＳＮ）（ＶＴＳ＿ｘｘ＿ｙｙ．ＶＯＢファイルにおいて）；
Ｅｎｄ＿ＰＳＮ＿Ｌａｙｅｒ＿０の８個のＬＳＢを‘１’に設定する；
Ｅｎｄ＿ＰＳＮ＿Ｌａｙｅｒ＿１＝Ｓｔａｒｔ＿ＰＳＮ＿Ｌａｙｅｒ＿０＋Ｓｔａｒｔ＿ＰＳＮ＿Ｌａｙｅｒ＿１＋ｌａｓｔ＿ＬＳＮ−Ｅｎｄ＿ＰＳＮ＿Ｌａｙｅｒ＿０−１
２０８：　割り当てられたＶＴＳ＿ｘｘ＿ｙｙ．ＶＯＢについての、開始ＬＳＮ＋ｎｖ＿ｌｂｎ＋Ｓｔａｒｔ＿ＰＳＮ＿Ｌａｙｅｒ＿０＋Ｓｔａｒｔ＿ＰＳＮ＿Ｌａｙｅｒ＿１−Ｅｎｄ＿ＰＳＮ＿Ｌａｙｅｒ＿０−１はｎｖ＿ｐｓｎに近いまたは等しい？
２０９：　（｜（（ｌａｓｔ＿ＬＳＮ＋１）／２）−ｎｖ＿ｌｂｎ−（ＶＴＳ＿ｘｘ＿ｙｙ．ＶＯＢの開始ＬＳＮ）｜）が正しいファイルＶＴＳ＿ｘｘ＿ｙｙ．ＶＯＢ（ｘｘ：１〜９９；ｙｙ：０または１）の開始ＬＳＮを求め、この開始ＬＳＮを変数ｖｏｂ＿ｌｓｎに記憶する
２１０：　Ｅｎｄ＿ＰＳＮ＿Ｌａｙｅｒ＿０＝Ｓｔａｒｔ＿ＰＳＮ＿Ｌａｙｅｒ＿０＋Ｓｔａｒｔ＿ＰＳＮ＿Ｌａｙｅｒ＿１＋ｖｏｂ＿ｌｓｎ＋ｎｖ＿ｌｂｎ−ｎｖ＿ｐｓｎ−１；
Ｅｎｄ＿ＰＳＮ＿Ｌａｙｅｒ＿１＝Ｓｔａｒｔ＿ＰＳＮ＿Ｌａｙｅｒ＿０＋Ｓｔａｒｔ＿ＰＳＮ＿Ｌａｙｅｒ＿１＋ｌａｓｔ＿ＬＳＮ−Ｅｎｄ＿ＰＳＮ＿Ｌａｙｅｒ＿０−１；
２１１：　最初の“．ＶＯＢ”ファイルのすぐ前のレイヤ０及び最後の“．ＶＯＢ”ファイルのすぐ後のレイヤ１に位置されなければならない、タイトル情報ファイルＶＴＳ＿ｘｘ＿０．ＩＦＯ及びバックアップのタイトル情報ファイルＶＴＳ＿ｘｘ＿０．ＢＵＰ（．ＢＵＰファイルは．ＩＦＯファイルとバイト数が等しい）のビデオタイトルセット情報の管理表ＶＴＳＩ＿ＭＡＴを読み出す
２１２：　両方のＶＴＳＩ＿ＭＡＴは等しい？
２１３：　Ｅｎｄ＿ＰＳＮ＿Ｌａｙｅｒ＿０とＥｎｄ＿ＰＳＮ＿Ｌａｙｅｒ＿１は正しい
２１４：　Ｅｎｄ＿ＰＳＮ＿Ｌａｙｅｒ＿０とＥｎｄ＿ＰＳＮ＿Ｌａｙｅｒ＿１は間違っている
２１５：　他のＶＴＳ＿ｘｘ＿ｙｙ．ＶＯＢであって、ｘｘは１から９９まで実行し、ｙｙは１〜９まで実行し、ビデオタイトルの最後のファイル及び２２０−２０４８バイト未満ではなく、セクタＬＳＮ＝ｌａｓｔ＿ＬＳＮ／２近傍で終わる、他のＶＴＳ＿ｘｘ＿ｙｙ．ＶＯＢはある？
２１６：　終了
図６の段階８５は“オポジットトラックパスディスクの主変数を求める”機能を意味し、図１０に示される更なる段階を含む。
３００：　開始
３０１：　リードアウトとレイヤ１のデータ領域との間の境界を検索する
３０２：　Ｅｎｄ＿ＰＳＮ＿Ｌａｙｅｒ＿１＝レイヤ１の求められたばかりの最後のデータ領域のセクタのＩＤの２５桁の最小有効ビット
３０３：　ＰＳＮ＝Ｅｎｄ＿ＰＳＮ＿Ｌａｙｅｒ＿１であるセクタを読み出す
３０４：　Ｔａｇ＝２（タグは記述子タイプインジケータである）と共に開始ボリューム記述子ポインタ（ＡＶＤＰ：Ａｎｃｈｏｒ Ｖｏｌｕｍｅ Ｄｅｓｃｒｉｐｔｏｒ Ｐｏｉｎｔｅｒ）としてこのセクタを確認するこのセクタの主データの第１の１６バイトを行う？
３０５：　ＡＶＤＰが損傷された；ファイルシステムにより中間領域に位置付けを試みる
３０６：　Ｅｎｄ＿ＰＳＮ＿Ｌａｙｅｒ＿０＝（（ＡＶＤＰの記述子タグのタグ位置）−（Ｅｎｄ＿ＰＳＮ＿Ｌａｙｅｒ＿１−１００００００ｈ）＋Ｓｔａｒｔ＿ＰＳＮ＿Ｌａｙｅｒ＿０−２）／２；Ｓｔａｒｔ＿ＰＳＮ＿Ｌａｙｅｒ＿１＝１ＦＦＦＦＦＦｈ−Ｅｎｄ＿ＰＳＮ＿Ｌａｙｅｒ＿０
３０７：　機能“パーティションサイズにより最後のＬＳＮを求める”を実行する
３０８：　ストリームファイルＶＴＳ＿ｘｘ＿ｙｙ．ＶＯＢを調べ、ｘｘは１から９９までを実行し、ｙｙは１から９までを実行する；ビデオタイトルの最後のファイル及び２２０−２０４８バイト（そのようなファイルがもしあるとすれば）より著しく小さいサイズではなく、そしてＬＳＮ＝ｌａｓｔ＿ＬＳＮ／２にできるだけ近い最後のセクタである、ＶＴＳ＿ｘｘ＿ｙｙ．ＶＯＢを検索する
３０９：　そのようなファイルは存在する？
３１０：　Ｅｎｄ＿ＰＳＮ＿Ｌａｙｅｒ＿０＝Ｓｔａｒｔ＿ＰＳＮ＿Ｌａｙｅｒ＿０＋検出されたＶＴＳ＿ｘｘ＿ｙｙ．ＶＯＢファイルの最後のＬＳＮ；
Ｅｎｄ＿ＰＳＮ＿Ｌａｙｅｒ＿０の８個のＬＳＢを１に設定する；
Ｓｔａｒｔ＿ＰＳＮ＿Ｌａｙｅｒ＿１＝１ＦＦＦＦＦＦｈ−Ｅｎｄ＿ＰＳＮ＿Ｌａｙｅｒ＿０
３１１：　ファイルシステムによりディスクの最後のＶＴＳ＿ｘｘ＿０．ＢＵＰファイルの位置またはＬＳＮを求め、ｘｘを１から９９まで実行する；
このファイルの開始ＰＳＮを演算する；
Ｓｔａｒｔ＿ＰＳＮ＿ｌａｓｔ＿ＢＵＰ＝最後のＶＴＳ＿ｘｘ＿０．ＢＵＰファイルのＬＳＮ＋Ｓｔａｒｔ＿ＰＳＮ＿Ｌａｙｅｒ＿０＋Ｓｔａｒｔ＿ＰＳＮ＿Ｌａｙｅｒ＿１−Ｅｎｄ＿ＰＳＮ＿Ｌａｙｅｒ＿０−１；
セクタＰＳＮ＝Ｓｔａｒｔ＿ＰＳＮ＿ｌａｓｔ＿ＢＵＰにジャンプし、このセクタを読み出す
３１２：　このセクタはビデオタイトルのセットの情報の管理表ＶＴＳＩ＿ＭＡＴ？
３１３：　仮定されたＰＳＮ周辺のセクタにおいてＶＴＳＩ＿ＭＡＴを検索する３１４：　ＶＴＳＩ＿ＭＡＴの検索は成功した？
３１５：　Ｅｎｄ＿ＰＳＮ＿Ｌａｙｅｒ＿０＝検出されたＶＴＳ＿ｘｘ＿０．ＢＵＰファイルの開始ＰＳＮ−Ｓｔａｒｔ＿ＰＳＮ＿Ｌａｙｅｒ＿０−Ｓｔａｒｔ＿ＰＳＮ＿Ｌａｙｅｒ＿１＋Ｅｎｄ＿ＰＳＮ＿Ｌａｙｅｒ＿０＋１；
Ｓｔａｒｔ＿ＰＳＮ＿Ｌａｙｅｒ＿１＝１ＦＦＦＦＦＦｈ−Ｅｎｄ＿ＰＳＮ＿Ｌａｙｅｒ＿０
３１６：　ファイルＶＴＳ＿ｘｘ＿０．ＩＦＯ及びＶＴＳ＿ｘｘ＿０．ＢＵＰのＶＴＳＩ＿ＭＡＴを読み出す、それらは、このタイトルの最初の“．ＶＯＢ”ファイルのすぐ前及び最後の“．ＶＯＢ”ファイルのすぐ後に位置を占めるに違いない
３１７：　両方のＶＴＳＩ＿ＭＡＴは等しい？
３１８：　Ｓｔａｒｔ＿ＰＳＮ＿Ｌａｙｅｒ＿０とＥｎｄ＿ＰＳＮ＿Ｌａｙｅｒ＿１は正しい
３１９：　Ｓｔａｒｔ＿ＰＳＮ＿Ｌａｙｅｒ＿０とＥｎｄ＿ＰＳＮ＿Ｌａｙｅｒ＿１は間違っている
３２０：　他のＶＴＳ＿ｘｘ＿ｙｙ．ＶＯＢであって、ｘｘが１から９９まで及びｙｙが１から９まで実行され、ビデオタイトルの最後のファイルではなく、そのサイズは２２０−２０４８バイト未満（そのようなファイルがもしあるとすれば）であり、そしてＬＳＮ＝ｌａｓｔ＿ＬＳＮ／２であるセクタ近傍で終了する、ＶＴＳ＿ｘｘ＿ｙｙ．ＶＯＢは存在する？
３２１：　終了
重要な主変数を検索するための代わりになる速い処理段階：
上述の重要な主変数を検索する速い処置段階が失敗した場合に、最も重要な主変数、特に、パラレルトラックパスディスクについてのＥｎｄ＿ＰＳＮ＿Ｌａｙｅｒ＿０、及びオポジットトラックパスディスクについてのＥｎｄ＿ＰＳＮ＿Ｌａｙｅｒ＿１、を導き出すために代替の処理段階を実行することが可能である。
【００２１】
パラレルトラックパスディスクについてのＥｎｄ＿ＰＳＮ＿Ｌａｙｅｒ＿０を得るために：
４００：　ファイルシステムの内側で、全体のディスクのＬＳＮ領域の中央のすぐ後にある、ファイルシステム記述子ＵＤＦ、例えば、ファイルエントリ記述子を検索する。これらの記述子は、恐らく、リードインのすぐ後のレイヤ１に位置している。
４０１：　これらの記述子のＰＳＮを評価し、そのような評価されたＰＳＮのすぐ前のＰＳＮにジャンプする
４０２：　これらのＵＤＦ記述子を検索する。読み出された各々のセクタの第１の１６バイトを分析することにより、識別を行うことが可能である。ＵＤＦ記述子の第１の１６バイトは、この記述子についての特徴的な情報を提供する記述子タグを含む。したがって、ＵＤＦ記述子を簡単に認識することが可能である。
４０３：　タグの場所はそれ自身の論理セクタの場所を含む。いくつかの記述子のタグの場所はパーティション（ファイルエントリ記述子のようなファイル記述子）の開始に比較的近いとみなされる。幾つかのタグの場所はＬＳＮと同一である（ボリューム記述子、例えばＡＶＤＰ）。
４０４：　パーティション記述子からＵＤＦパーティションの開始ＬＳＮを得る
４０５：　求められたファイル記述子のタグの場所：
Ｅｎｄ＿ＰＳＮ＿Ｌａｙｅｒ＿０＝Ｓｔａｒｔ＿ＰＳＮ＿Ｌａｙｅｒ＿０＋Ｓｔａｒｔ＿ＰＳＮ＿Ｌａｙｅｒ＿１＋タグの場所＋ＵＤＦパーティションの開始ＬＳＮ−記述子のＰＳＮ−１
４０６：　求められたボリューム記述子のタグの場所：
Ｅｎｄ＿ＰＳＮ＿Ｌａｙｅｒ＿０＝Ｓｔａｒｔ＿ＰＳＮ＿Ｌａｙｅｒ＿０＋Ｓｔａｒｔ＿ＰＳＮ＿Ｌａｙｅｒ＿１＋タグの場所＋記述子のＰＳＮ−１
オポジットトラックパスディスクについてのＥｎｄ＿ＰＳＮ＿Ｌａｙｅｒ＿０及びＳｔａｒｔ＿ＰＳＮ＿Ｌａｙｅｒ＿１を得るために：
４５０：　ファイルシステムの内部で、ファイルシステム記述子ＵＤＦ、例えば、全ディスクのＬＳＮ領域の終了のすぐ前のファイルエントリ記述子を検索する。これらの記述子は、恐らく、リードインのすぐ後のレイヤ１に位置している。
４５１：　これらの記述子のＰＳＮを評価し、そのような評価されたＰＳＮのすぐ前のＰＳＮにジャンプする
４５２：　これらのＵＤＦ記述子を検索する。読み出された各々のセクタの第１の１６バイトを分析することにより識別を実行することが可能である。ＵＤＦ識別子の第１の１６バイトは、この記述子に関する特徴的な情報を提供する記述子タグを含む。
４５３：　タグの場所は、タグ自身の論理セクタの場所を含む。いくつかの記述子のタグの場所はパーティション（ファイルエントリ記述子のようなファイル記述子）の開始に比較的近いとみなされる。いくつかのタグの場所はＬＳＮと同一である（ボリューム記述子、例えばＡＶＤＰ）。
【００２２】
タグの場所は、Ｅｎｄ＿ＰＳＮ＿Ｌａｙｅｒ＿０及びＳｔａｒｔ＿ＰＳＮ＿Ｌａｙｅｒ＿１を再演算するために用いられる。
４５４：　パーティション記述子からＵＤＦパーティションの開始ＬＳＮを得る
４５５：　求められたファイル記述子のタグの場所：
Ｅｎｄ＿ＰＳＮ＿Ｌａｙｅｒ＿０＝Ｓｔａｒｔ＿ＰＳＮ＿Ｌａｙｅｒ＿０＋Ｓｔａｒｔ＿ＰＳＮ＿Ｌａｙｅｒ＿１＋タグの場所＋ＵＤＦパーティションの開始ＬＳＮ−記述子のＰＳＮ−１
４５６：　求められたボリューム記述子のタグの場所：
Ｅｎｄ＿ＰＳＮ＿Ｌａｙｅｒ＿０＝Ｓｔａｒｔ＿ＰＳＮ＿Ｌａｙｅｒ＿０＋Ｓｔａｒｔ＿ＰＳＮ＿Ｌａｙｅｒ＿１＋タグの場所−記述子のＰＳＮ−１
４５７：　Ｓｔａｒｔ＿ＰＳＮ＿Ｌａｙｅｒ＿１＝１ＦＦＦＦＦＦｈ−Ｅｎｄ＿ＰＳＮ＿Ｌａｙｅｒ＿０
特定のＤＶＤビデオファイルの場所をアナログ状態、例えばＶＴＦ＿ｘｘ＿０．ＩＦＯにおいて用いることが可能であり、ｘｘは１から９９まで実行する。これらのファイルは、同一出願者が出願した欧州特許出願第１，０１４，３７２号明細書に開示した方法を用いて認識可能である。検出されたＶＴＦ＿ｘｘ＿０．ＩＦＯとファイルシステムにより確認されたその場所との比較はＥｎｄ＿ＰＳＮ＿Ｌａｙｅｒ＿０の演算に導く。
【００２３】
図１１は、モータＭにより駆動し、ピックアップＰによりデータを読み出す光ディスクＤを示す。これらのデータをトラックバッファＴＢに供給する。異なる瞬間的なまたは短時間のデータ転送速度を補償するために、ＴＢにおいて読み出されたデータを保存する。バッファ記憶データストリームの対応する部分データストリームを、関連する復号器のビットバッファに供給する。この場合、例えば、ビデオ、オーディオ、サブピクチャ、及び／またはデータ復号器ＤＡＴを含むことが可能である。ビデオ復号器ＶＩＤはＭＰＥＧビデオ復号器とすることが可能である。オーディオ復号器ＡＵＤをＭＰＥＧまたはＡＣ３オーディオ復号器とすることが可能である。また、データ復号器に代えて、出力インタフェースを用いることが可能である。
【００２４】
Ｍ、Ｐ、ＴＢ、ＶＩＤ、ＡＵＤ及びＤＡＴを制御手段ＣＴＲＬにより制御する。この操作手段ＣＴＲＬはピックアップＰの半径方向の位置及びモータＭの速度を操縦し、上述の機能的処理段階を実行することにより、上述の主変数を決定するために読み出された必要なデータを評価する。
【００２５】
また、リードインに対応し主変数または主パラメータ値を記憶する第１データ領域またはデータセクションを有し、他のデータのために第２データ領域またはデータセクションを有する、他のタイプの記憶媒体のために本発明を用いることが可能である。
【図面の簡単な説明】
【図１】
ＬＳＮ番号からＰＳＮ番号への変換を示す図である。
【図２】
ＰＳＮ番号からＬＳＮ番号への変換を示す図である。
【図３】
主変数を検索する方法を示す図である。
【図４】
速い検索のための基本段階を示す図である。
【図５】
ディスクタイプを求める機能を示す図である。
【図６】
主変数のための速い検索の機能を示す図である。
【図７】
パーティションサイズにより最後のＬＳＮを求める機能を示す図である。
【図８】
シングルレイヤディスクの主変数を求める機能を示す図である。
【図９】
パラレルトラックパスディスクの主変数を求める機能を示す図である。
【図１０】
オポジットトラックパスディスクの主変数を求める機能を示す図である。
【図１１】
ＤＶＤプレーヤの簡単化したブロック図である。
【国際公開パンフレット】
2004514235.tif 000003
2004514235.tif 000004
2004514235.tif 000005
2004514235.tif 000006
2004514235.tif 000007
2004514235.tif 000008
2004514235.tif 000009
2004514235.tif 000010
2004514235.tif 000011
2004514235.tif 000012
2004514235.tif 000013
2004514235.tif 000014
2004514235.tif 000015
2004514235.tif 000016
2004514235.tif 000017
2004514235.tif 000018
2004514235.tif 000019
2004514235.tif 000020
2004514235.tif 000021
2004514235.tif 000022
2004514235.tif 000023
2004514235.tif 000024
2004514235.tif 000025
2004514235.tif 000026
2004514235.tif 000027
2004514235.tif 000028
2004514235.tif 000029
【手続補正書】
【提出日】平成15年1月7日(2003.1.7)
【手続補正１】
【補正対象書類名】明細書
【補正対象項目名】特許請求の範囲
【補正方法】変更
【補正の内容】
【特許請求の範囲】
【請求項１】
記憶媒体を再生するために必要とされる前記記憶媒体の主パラメータ値（Ｅｎｄ＿ＰＳＮ＿Ｌａｙｅｒ＿０）を決定するための方法であって：
複数の物理データセクタ；
前記物理データセクタと異なる複数の論理データセクタ；
前記主パラメータ値を含むリードインデータ（Ｌｅａｄ　Ｉｎ）；及び
前記リードイン領域と異なり、前記主パラメータ値ではなく他のデータを含む他のデータ領域；
から構成される方法であり、
前記主パラメータ値は前記記憶媒体の終了物理セクタ番号（Ｅｎｄ＿ＰＳＮ＿Ｌａｙｅｒ＿０）であり、前記リードイン領域から前記主パラメータ値を読み出すことなく前記他のデータ領域からデータを読み出して評価することにより前記主パラメータ値を決定する；
方法。
【請求項２】
請求項１に記載の方法であって、前記記憶媒体（Ｄ）はＤＶＤディスク、例えばＤＶＤ読み出し専用またはＤＶＤビデオディスクである、方法。
【請求項３】
請求項１または２に記載の方法であって、前記記憶媒体の開始の物理セクタ番号（Ｓｔａｒｔ＿ＰＳＮ＿Ｌａｙｅｒ＿０）及び結局前記記憶媒体のタイプ（ｄｉｓｃ＿ｔｙｐｅ）はさらなる主変数パラメータ値である、方法。
【請求項４】
請求項１または２に記載の方法であって、前記記憶媒体（Ｄ）は少なくとも２つのデータレイヤを含み、その各々に前記第１データ領域（リードイン）のうち特定の１つを割り当てる、方法。
【請求項５】
請求項４に記載の方法であって、前記記憶媒体（Ｄ）は少なくとも１つのＤＶＤ読み出し専用オポジットトラックパスディスクの片面を有し、前記主パラメータ値は，前記ディスクの少なくとも２つのデータレイヤの第１レイヤについて終了物理セクタ番号（Ｅｎｄ＿ＰＳＮ＿Ｌａｙｅｒ＿０）を、または、前記ディスクの少なくとも２つのデータレイヤの第２レイヤについて開始物理セクタ番号（Ｓｔａｒｔ＿ＰＳＮ＿Ｌａｙｅｒ＿１）である、方法。
【請求項６】
請求項４に記載の方法であって、前記記憶媒体（Ｄ）は少なくとも１つのＤＶＤ読み出し専用パラレルトラックパスディスクの片面と前記ディスクの前記少なくとも２つのデータレイヤの第１レイヤについて終了物理セクタ番号（Ｅｎｄ＿ＰＳＮ＿Ｌａｙｅｒ＿０）とを有し、さらなる主パラメータ値は前記少なくとも２つのデータレイヤの第２レイヤについて開始物理セクタ番号（Ｓｔａｒｔ＿ＰＳＮ＿Ｌａｙｅｒ＿１）である、方法。
【請求項７】
請求項５または６に記載の方法であって、前記主変数パラメータ値及び前記さらなる主変数パラメータ値は開始の物理セクタ番号（Ｅｎｄ＿ＰＳＮ＿Ｌａｙｅｒ＿０）と前記ディスクの前記少なくとも２つのデータレイヤの第１レイヤについて前記終了の物理セクタ番号（Ｅｎｄ＿ＰＳＮ＿Ｌａｙｅｒ＿０）を含み、前記ディスクの前記少なくとも２つのデータレイヤの第２レイヤについて開始の物理セクタ番号（Ｅｎｄ＿ＰＳＮ＿Ｌａｙｅｒ＿１）及び終了の物理セクタ番号（Ｅｎｄ＿ＰＳＮ＿Ｌａｙｅｒ＿１）、または前記開始の物理セクタ番号（Ｅｎｄ＿ＰＳＮ＿Ｌａｙｅｒ＿１）及び前記終了の物理セクタ番号（Ｅｎｄ＿ＰＳＮ＿Ｌａｙｅｒ＿１）を含み、そして前記ディスクのタイプ（ｄｉｓｃ＿ｔｙｐｅ）を結局含む、方法。
【請求項８】
請求項１〜７の何れか１つに記載の方法であって、前記記憶媒体（Ｄ）はＤＶＤビデオディスクであり、前記主パラメータまたはディスクタイプを決定するために、他のデータ領域のデータであって：
レイヤ０の最初の部分の特徴的なファイルシステムデータ；
レイヤ０の最初の部分に位置するＤＶＤビデオ特有のデータ；
レイヤ１がある場合の、レイヤ１の内側領域に位置するＤＶＤビデオ特有のデータ；及び
オポジットトラックパスディスクがある場合の、レイヤ０及び１の外側領域に位置するＤＶＤビデオ特有のデータの構造体；
からなる他のデータ領域のデータを用いる、方法。
【請求項９】
前記データディスクを再生するために必要とされるデータディスク（Ｄ）の主パラメータ値（Ｅｎｄ＿ＰＳＮ＿Ｌａｙｅｒ＿０）を決定するための装置であって、前記データディスクは：
複数の物理データセクタ；
前記物理データセクタと異なる複数の論理データセクタ；
前記主パラメータ値を含むリードインデータ（Ｌｅａｄ　Ｉｎ）；及び
前記リードイン領域と異なり、前記主パラメータ値ではなく他のデータを含む他のデータ領域；
から構成され、
前記装置は：
前記データディスク（Ｄ）を駆動するための手段（Ｍ）；
前記データディスクからデータを読み出すためのピックアップ（Ｐ）；
バッファ（ＴＢ）；及び
前記駆動手段（Ｍ）、前記ピックアップ（Ｐ）及び前記バッファ（ＴＢ）を制御し、前期リードイン領域から前記主パラメータを読み出すことなく前記他のデータ領域からデータを読み出しそれを評価する、前記主パラメータ値は前記記憶媒体のためのことにより前記主パラメータ値を決定するための手段（ＣＴＲＬ）であって、前記主パラメータ値は前記記憶媒体のための終了の物理セクタ番号（Ｅｎｄ＿ＰＳＮ＿Ｌａｙｅｒ＿０）である、手段；
から構成される、装置。
【請求項１０】
請求項９に記載の装置であって、前記記憶装置はＤＶＤビデオディスクであり、前記主パラメータまたはディスクタイプを決定するために、他のデータ領域のデータであって：
レイヤ０の最初の部分の特徴的なファイルシステムデータ；
レイヤ０の最初の部分に位置するＤＶＤビデオ特有のデータ；
レイヤ１がある場合の、レイヤ１の内側の範囲に位置するＤＶＤビデオ特有のデータ；及び
オポジットトラックパスディスクがある場合の、レイヤ０及び１の外側の範囲に位置するＤＶＤビデオ特有のデータの構造体；
からなる他のデータ領域のデータを用いる、装置。
【国際調査報告】
2004514235.tif 000030
2004514235.tif 000031